【手続補正書】
【提出日】平成26年5月19日(2014.5.19)
【手続補正１】
【補正対象書類名】明細書
【補正対象項目名】００１７
【補正方法】変更
【補正の内容】
【００１７】
上記目的を達成するために、請求項１記載の印刷装置は、装置全般の制御を司る制御部と、前記制御部に制御されてデータを記憶する半導体不揮発性記憶素子を備えると共に、前記データのリード時に前記半導体不揮発性記憶素子をリフレッシュする機能を持つ記憶制御部を備える記憶部と、を有する印刷装置において、前記制御部は、高い処理スピードが要求される処理動作を実行することを検知した場合に、前記リフレッシュ動作を抑制させ、前記制御部は、高い処理スピードが要求される処理動作の終了後に、前記リフレッシュ動作を許可するよう前記記憶制御部を制御することを特徴とする。
上記目的を達成するために、請求項４記載の印刷装置は、装置全般の制御を司る制御部と、当該制御部に制御されてデータを記憶する半導体不揮発性記憶素子を備えると共に、前記データのリード時に前記半導体不揮発性記憶素子をリフレッシュする機能を持つ記憶制御部を備える記憶部と、印刷ジョブで印刷する部数を判断する部数判断手段とを有する印刷装置において、前記制御部は、前記部数判断手段が複数部印刷すると判断した場合に、前記リフレッシュ動作を許可し、前記部数判断手段が１部のみ印刷すると判断した場合に、前記リフレッシュ動作を禁止するよう前記記憶制御部を制御することを特徴とする。
上記目的を達成するために、請求項５記載の印刷装置は、装置全般の制御を司る制御部と、当該制御部に制御されてデータを記憶する半導体不揮発性記憶素子を備えると共に、前記データのリード時に前記半導体不揮発性記憶素子をリフレッシュする機能を持つ記憶制御部を備える記憶部と、印刷ジョブの実行中にリードしたページを含むブロックのデータリード回数を計算するリード回数計算手段と、前記記憶部においてリードエラーが発生すると想定されるデータリード回数を第１の閾値として設定する第１の閾値設定手段と、を有する印刷装置において、前記記憶制御部は、前記リード回数計算手段で計算したデータリード回数と前記第１の閾値とを比較し、前記データリード回数が前記第１の閾値に至ったと判断したときにリフレッシュ動作を実行し、前記データリード回数が前記第１の閾値に至らないと判断したときにリフレッシュ動作を実行しないことを特徴とする。
上記目的を達成するために、請求項６記載の印刷装置は、装置全般の制御を司る制御部と、当該制御部に制御されてデータを記憶する半導体不揮発性記憶素子を備えると共に、前記データのリード時に前記半導体不揮発性記憶素子をリフレッシュする機能を持つ記憶制御部を備える記憶部と、印刷ジョブの実行中にリードしたページ中の誤りビットを計算する誤りビット計算手段と、誤りビットの許容範囲を規定する第２の閾値を設定する第２の閾値設定手段と、を有する印刷装置において、前記記憶制御部は、前記誤りビット計算手段で計算した誤りビット数と前記第２の閾値とを比較し、前記誤りビット数が前記第２の閾値よりも多い場合には前記前記リフレッシュ動作を実行し、前記誤りビット数が前記第２の閾値を超えない場合には前記リフレッシュ動作を実行しないことを特徴とする。
上記目的を達成するために、請求項７記載の印刷装置は、装置全般の制御を司る制御部と、前記制御部に制御されてデータを記憶する半導体不揮発性記憶素子を備えると共に、前記データのリード時に前記半導体不揮発性記憶素子をリフレッシュする機能を持つ記憶制御部を備える記憶部と、前記記憶制御部で、前記リフレッシュの実行の可否を決定するための閾値を設定する閾値設定手段と、を有する印刷装置において、前記記憶部は、記憶内容の特徴に合わせて、複数のパーティションに区分され、前記閾値設定手段は、前記パーティション毎に、前記閾値を設定することを特徴とする。
【手続補正２】
【補正対象書類名】特許請求の範囲
【補正対象項目名】全文
【補正方法】変更
【補正の内容】
【特許請求の範囲】
【請求項１】
装置全般の制御を司る制御部と、
前記制御部に制御されてデータを記憶する半導体不揮発性記憶素子を備えると共に、前記データのリード時に前記半導体不揮発性記憶素子をリフレッシュする機能を持つ記憶制御部を備える記憶部と、を有する印刷装置において、
前記制御部は、高い処理スピードが要求される処理動作を実行することを検知した場合に、前記リフレッシュ動作を抑制させ、
前記制御部は、高い処理スピードが要求される処理動作の終了後に、前記リフレッシュ動作を許可するよう前記記憶制御部を制御することを特徴とする印刷装置。
【請求項２】
前記制御部は、印刷ジョブを前記記憶部に記憶させたときに、高い処理スピードが要求される処理動作を実行することを検知し、当該印刷ジョブの最後の１枚の印刷済の印刷媒体が排紙されたときに、高い処理スピードが要求される処理動作の終了を検知することを特徴とする請求項１記載の印刷装置。
【請求項３】
前記制御部は、印刷ジョブを前記記憶部に記憶させたときに、高い処理スピードが要求される処理動作を実行することを検知し、
当該印刷ジョブが複数の部数を含む場合には、前記記憶部から、最終部の１つ前の部の印刷データの読み出しが終了したときに高い処理スピードが要求される処理動作の終了を検知することを特徴とする請求項１記載の印刷装置。
【請求項４】
装置全般の制御を司る制御部と、
当該制御部に制御されてデータを記憶する半導体不揮発性記憶素子を備えると共に、前記データのリード時に前記半導体不揮発性記憶素子をリフレッシュする機能を持つ記憶制御部を備える記憶部と、
印刷ジョブで印刷する部数を判断する部数判断手段とを有する印刷装置において、
前記制御部は、前記部数判断手段が複数部印刷すると判断した場合に、前記リフレッシュ動作を許可し、前記部数判断手段が１部のみ印刷すると判断した場合に、前記リフレッシュ動作を禁止するよう前記記憶制御部を制御することを特徴とする印刷装置。
【請求項５】
装置全般の制御を司る制御部と、
当該制御部に制御されてデータを記憶する半導体不揮発性記憶素子を備えると共に、前記データのリード時に前記半導体不揮発性記憶素子をリフレッシュする機能を持つ記憶制御部を備える記憶部と、
印刷ジョブの実行中にリードしたページを含むブロックのデータリード回数を計算するリード回数計算手段と、
前記記憶部においてリードエラーが発生すると想定されるデータリード回数を第１の閾値として設定する第１の閾値設定手段と、を有する印刷装置において、
前記記憶制御部は、前記リード回数計算手段で計算したデータリード回数と前記第１の閾値とを比較し、前記データリード回数が前記第１の閾値に至ったと判断したときにリフレッシュ動作を実行し、前記データリード回数が前記第１の閾値に至らないと判断したときにリフレッシュ動作を実行しないことを特徴とする印刷装置。
【請求項６】
装置全般の制御を司る制御部と、
当該制御部に制御されてデータを記憶する半導体不揮発性記憶素子を備えると共に、前記データのリード時に前記半導体不揮発性記憶素子をリフレッシュする機能を持つ記憶制御部を備える記憶部と、
印刷ジョブの実行中にリードしたページ中の誤りビットを計算する誤りビット計算手段と、
誤りビットの許容範囲を規定する第２の閾値を設定する第２の閾値設定手段と、を有する印刷装置において、
前記記憶制御部は、前記誤りビット計算手段で計算した誤りビット数と前記第２の閾値とを比較し、前記誤りビット数が前記第２の閾値よりも多い場合には前記前記リフレッシュ動作を実行し、前記誤りビット数が前記第２の閾値を超えない場合には前記リフレッシュ動作を実行しないことを特徴とする印刷装置。
【請求項７】
装置全般の制御を司る制御部と、
前記制御部に制御されてデータを記憶する半導体不揮発性記憶素子を備えると共に、前記データのリード時に前記半導体不揮発性記憶素子をリフレッシュする機能を持つ記憶制御部を備える記憶部と、
前記記憶制御部で、前記リフレッシュの実行の可否を決定するための閾値を設定する閾値設定手段と、を有する印刷装置において、
前記記憶部は、記憶内容の特徴に合わせて、複数のパーティションに区分され、前記閾値設定手段は、前記パーティション毎に、前記閾値を設定することを特徴とする印刷装置。
【請求項８】
前記閾値設定手段は、前記記憶部における、プログラム、ＰＤＬ（Ｐａｇｅ  Ｄｅｓｃｒｉｐｔｉｏｎ  Ｌａｎｇｕａｇｅ）、中間言語（Ｄｉｓｐｌａｙ  Ｌｉｓｔ）、テキストデータ、合成画像、保存用印刷データ、保存用スキャン画像、受信ファックス画像、画像合成用画像若しくは印刷履歴保存データ、が格納される前記パーティションに対して、前記リフレッシュ動作を抑制しないよう閾値を設定し、自然画像が格納される前記パーティションに対して、前記リフレッシュ動作を抑制するよう閾値を設定することを特徴とする請求項７記載の印刷装置。
【請求項９】
装置全般の制御を司る制御部と、当該制御部に制御されてデータを記憶する半導体不揮発記憶素子を備えると共に、前記データのリード時に前記半導体不揮発記憶素子をリフレッシュする機能を持つ記憶部制御部とを備えた記憶部と、を有する印刷装置の制御方法において、
前記制御部は、高い処理スピードが要求される処理動作を実行することを検知した場合に、前記リフレッシュ動作を抑制させるよう前記記憶制御部を制御するリフレッシュ抑制ステップと、
前記制御部は、高い処理スピードが要求される処理動作の終了後に、前記リフレッシュ動作を許可するよう前記記憶制御部を制御するリフレッシュ許可ステップと、を有することを特徴とする印刷装置の制御方法。